(57)【要約】【課題】ＭＰＥＧ−４で符号化・圧縮された動画データの内容を再生することなく容易に把握することができるマルチメディアデータの処理装置及び保存方式を提供する。【解決手段】ＭＰＥＧ−４のデータに基づく静止画を、ＭＰＥＧ−４で設定されているユーザー領域に保存し、この静止画を参照することによりＭＰＥＧ−４で符号化・圧縮された動画データの内容を把握する。又、マルチメディアデータの処理装置は、ＭＰＥＧ−４ファイルを一覧表示する表示手段を備え、該表示手段によりＭＰＥＧ−４ファイルを一覧表示したときに、ＭＰＥＧ−４で設定されているユーザー領域に保存されている静止画を表示するように構成されている。【選択図】図１
2004363656.tif 000002
【特許請求の範囲】
【請求項１】
ＭＰＥＧ−４のデータに基づく静止画が、
ＭＰＥＧ−４で設定されているユーザー領域に保存されていることを特徴とするマルチメディアデータの保存方式。
【請求項２】
上記ユーザー領域に上記静止画が複数保存されていることを特徴とする請求項１記載のマルチメディアデータの保存方式。
【請求項３】
上記ユーザー領域に上記複数の静止画の優先順位に関する情報が保存されていることを特徴とする請求項２記載のマルチメディアデータの保存方式。
【請求項４】
上記静止画がＪＰＥＧ方式で圧縮保存されていることを特徴とする請求項１乃至３記載のマルチメディアデータの保存方式。
【請求項５】
ＭＰＥＧ−４ファイルを一覧表示する表示手段を備え、
該表示手段によりＭＰＥＧ−４ファイルを一覧表示したときに、ＭＰＥＧ−４で設定されているユーザー領域に保存されている静止画を表示するように構成されていることを特徴とするマルチメディアデータの処理装置。
【請求項６】
上記静止画を表示するときに上記ＭＰＥＧ−４で設定されているユーザー領域に保存されている静止画の優先順位に関する情報に基づき静止画を表示するように構成されていることを特徴とする請求項５記載のマルチメディアデータの処理装置。
【請求項７】
上記静止画がＪＰＥＧ方式で圧縮保存されていることを特徴とする請求項５又は６記載のマルチメディアデータの処理装置。
【請求項８】
ＭＰＥＧ−４ファイルを再生する再生手段を備えていることを特徴とする請求項５乃至７記載のマルチメディアデータの処理装置。
【請求項９】
上記優先順位に関する情報を変更する手段を備えていることを特徴とする請求項６乃至８記載のマルチメディアデータの処理装置。
【請求項１０】
ＭＰＥＧ−４で設定されているユーザー領域に保存されている静止画を一覧表示する手段を備えていることを特徴とする請求項５乃至９記載のマルチメディアデータの処理装置。
【発明の詳細な説明】
【０００１】
【産業上の利用分野】
本発明はマルチメディアデータの処理装置及び保存方式に係り、特に、ＭＰＥＧ（Ｍｏｖｉｎｇ    Ｐｉｃｔｕｒｅ    Ｅｘｐｅｒｔｓ    Ｇｒｏｕｐ）−４フォーマットのデータを処理する処理装置及び保存方式に関するものである。
【０００２】
【従来の技術】
近年、マルチメディア環境において、デジタル動画を圧縮する技術として、ＩＴＵ−ＴＳ（国際電気通信連合）とＩＳＯ（国際標準化機構）で制定されたデジタル動画と音声の圧縮・伸長に関する規格であるＭＰＥＧ規格が広く使用されている。
【０００３】
このＭＰＥＧ規格に準拠したＭＰＥＧ−４の符号化・圧縮では、オブジェクト単位、例えば人、物、背景毎に符号化・圧縮を行なっている。つまり、背景からオブジェクトを切り出して、符号化・圧縮を行なっている。そして、再生時には、切り出したオブジェクトを再度、背景と合成するという処理が行なわれている。尚、ＭＰＥＧ規格には、動画データだけでなく、音声データの符号化・圧縮も含まれている。
【０００４】
【発明が解決しようとする課題】
しかしながら、ＭＰＥＧ−４で符号化・圧縮された動画データは、再生しなければその内容を確認することができず、複数のＭＰＥＧ−４の動画データファイルから希望する動画データファイルを選択することが容易でなかった。
【０００５】
そこで本発明は、ＭＰＥＧ−４で符号化・圧縮された動画データの内容を再生することなく容易に把握することができるマルチメディアデータの処理装置及び保存方式を提供することを目的とする。
【０００６】
【課題を解決するための手段】
本発明に係る目的は、ＭＰＥＧ−４のデータに基づく静止画が、ＭＰＥＧ−４で設定されているユーザー領域に保存されていることを特徴とするマルチメディアデータの保存方式によって達成される。
【０００７】
又、本発明によれば、上記ユーザー領域に上記静止画が複数保存されていることにより、より容易にＭＰＥＧ−４で符号化・圧縮された動画データの内容を把握することができる。
【０００８】
又、本発明によれば、上記ユーザー領域に上記複数の静止画の優先順位に関する情報が保存されていることにより、より容易にＭＰＥＧ−４で符号化・圧縮された動画データの内容を把握することができる。
【０００９】
又、本発明によれば、上記静止画がＪＰＥＧ方式で圧縮保存されていることにより、上記静止画のデータ容量を小さくすることができる。
【００１０】
本発明に係る目的は、ＭＰＥＧ−４ファイルを一覧表示する表示手段を備え、該表示手段によりＭＰＥＧ−４ファイルを一覧表示したときに、ＭＰＥＧ−４で設定されているユーザー領域に保存されている静止画を表示するように構成されていることを特徴とするマルチメディアデータの処理装置によって達成される。
【００１１】
又、本発明によれば、上記静止画を表示するときに、上記ＭＰＥＧ−４で設定されているユーザー領域に保存されている静止画の優先順位に関する情報に基づき静止画を表示するように構成されていることにより、より容易にＭＰＥＧ−４で符号化・圧縮された動画データの内容を把握することができる。
【００１２】
又、本発明によれば、上記静止画がＪＰＥＧ方式で圧縮保存されていることにより、上記静止画のデータ容量を小さくすることができる。
【００１３】
又、本発明によれば、ＭＰＥＧ−４ファイルを再生する再生手段を備えていることにより、使い易さを向上させることができる。
【００１４】
又、本発明によれば、上記優先順位に関する情報を変更する手段を備えていることにより、より容易にＭＰＥＧ−４で符号化・圧縮された動画データの内容を把握することができる。
【００１５】
又、本発明によれば、ＭＰＥＧ−４で設定されているユーザー領域に保存されている静止画を一覧表示する手段を備えていることにより、より容易にＭＰＥＧ−４で符号化・圧縮された動画データの内容を把握することができる。
【００１６】
【発明の実施の形態】
本発明に係るマルチメディアデータの処理装置及び保存方式の処理対象であるデータは、ＭＰＥＧ−４システム（ＩＳＯ／ＩＥＣ１４４９６−１）で定義されているデータであり、そのデータ形式はバイナリデータである。
【００１７】
このＭＰＥＧ−４では、画像、音声、テキスト等のデータはエレメンタリストリーム（Ｅｌｅｍｅｎｔａｒｙ  Ｓｔｒｅａｍ）と呼ばれている。そして、画像、音声、静止画等の各オブジェクトの時間的、空間的な相互関係や属性（光源、形状、材質、色および座標等）がシーン記述情報に記述されている。
【００１８】
又、メンタリストリームとシーン記述情報はオブジェクト・ディスクリプタ（Ｏｂｊｅｃｔ  Ｄｅｓｃｒｉｐｔｏｒ）という情報によって関連付けされている。この関連付けのため、シーン記述情報では、各オブジェクトにオブジェクト・ディスクリプタＩＤが割り当てられるており、このオブジェクト・ディスクリプタＩＤにより対応するオブジェクト・ディスクリプタが識別される。更に、オブジェクト・ディスクリプタには各エレメンタリストリームとの関連付け情報が記述されているエレメンタリストリーム・ディスクリプタがあり、このエレメンタリストリーム・ディスクリプタにはエレメンタリストリームＩＤが記述されており、このエレメンタリストリームＩＤにより各エレメンタリストリームが識別される。
【００１９】
ＭＰＥＧ−４では、上記シーン記述情報、エレメンタリストリーム及びオブジェクト・ディスクリプタの他に、ユーザが自由に使用することができるユーザー領域（Ｕｓｅｒ−ｄａｔａ  Ａｔｏｍ）が確保されている。そして、本発明に係るマルチメディアデータの処理装置及び保存方式では、動画データの画像を静止画として取込み、その静止画をこのユーザー領域に保存している。
【００２０】
以下、図面を参照して、本発明に係るマルチメディアデータの処理装置及び保存方式について説明する。
【００２１】
図１は、本発明に係るマルチメディアデータの処理装置の画面表示の例であり、同図にはＭＰＥＧ−４で符号化・圧縮された動画データを再生する場合の画面表示が示されている。ここで、画面１１上には動画表示部１２、再生ボタン１３、停止ボタン１４、登録ボタン１５、一覧表示ボタン１６が設けられている。動画表示部１２は再生された動画が表示される部分であり、再生は再生ボタン１３を押すと開始され、停止ボタン１４を押すと停止する。登録ボタン１５は、動画データの画像を静止画として取込み、その静止画をユーザー領域に保存するためのボタンであり、この登録ボタン１５を押した時に動画表示部１２に表示されている画像が静止画としてユーザー領域に保存される。ここで、静止画データはＪＰＥＧ（Ｊｏｉｎｔ    Ｐｈｏｔｏｇｒａｐｈｉｃ    Ｅｘｐｅｒｔｓ  Ｇｒｏｕｐ）方式で圧縮されて保存される。但し、他の方式で圧縮しても、又は圧縮しなくてもよい。一覧表示ボタン１６は、後述する一覧表示に移行するためのボタンである。
【００２２】
又、図１に示した例では、ポインティングデバイスであるマウスを使用して再生ボタン１３、停止ボタン１４、登録ボタン１５、一覧表示ボタン１６を操作している。例えば、ポインティングデバイスであるマウスの動きに連動して上下左右に移動するマウスカーソル１０の矢印の先を指定したい位置（ボタン）に合わせ、マウスのボタンを押すとその位置（ボタン）が指定される。
【００２３】
例えば、まずマウスで再生ボタン１３を押して、動画データの再生を開始し、その後、静止画として取込みたい画像が動画表示部１２に表示された時にマウスで登録ボタン１５を押して、静止画を取込む。取込まれた静止画はＪＰＥＧ方式で圧縮されてＭＰＥＧ−４で設定されているユーザー領域に保存される。
【００２４】
次に、図２から図５を参照してユーザー領域に静止画が保存されているＭＰＥＧ−４の動画データのファイルを再生せずに、その内容を確認する手順について説明する。
【００２５】
図２は、本発明に係るマルチメディアデータの処理装置の画面表示の例であり、同図にはＭＰＥＧ−４で符号化・圧縮された動画データのファイルを一覧表示した場合の画面表示が示されている。この一覧表示では、画面２１上に設けられた一覧表示部２２にＭＰＥＧ−４の動画データのファイルが静止画２３及びファイル名２４で表示されている。ここで、表示されている静止画２３はＭＰＥＧ−４で設定されているユーザー領域に保存されるものである。又、画面２１上には、ＭＰＥＧ−４の動画データのファイルを再生するための再生表示ボタン２５と、ユーザー領域に保存されている静止画の詳細表示に移行するための静止画表示ボタン２６が設けられている。又、マウスカーソル２７はマウスの動きに連動して上下左右に移動する位置表示である。
【００２６】
この一覧表示の一覧表示部２２に表示されている静止画２３を観ただけで希望するＭＰＥＧ−４の動画データを選択することができる場合は、マウスを操作することにより希望するＭＰＥＧ−４の動画データを選択し再生表示ボタン２５を押せば図１に示した再生画面に移行する。そして、再生の際に更に静止画を取込み、ＭＰＥＧ−４で設定されているユーザー領域に保存することもできる。
【００２７】
一方、一覧表示部２２に表示されている静止画２３を観ただけでは希望するＭＰＥＧ−４の動画データが確認できない場合は、希望するＭＰＥＧ−４の動画データと思われるものをマウスの操作により選択し、静止画表示ボタン２６を押す。この静止画表示ボタン２６が押されると、一覧表示で選択されたＭＰＥＧ−４の動画データに対応する静止画、つまり、選択したＭＰＥＧ−４ファイルのユーザー領域に保存されている静止画が一覧表示される。
【００２８】
図３は、本発明に係るマルチメディアデータの処理装置の画面表示の例であり、同図にはＭＰＥＧ−４で設定されているユーザー領域に保存されている静止画を一覧表示した場合の画面表示が示されている。この静止画一覧表示には、上述の静止画表示ボタン２６が押された時に移行する。
【００２９】
図３の画面３１には静止画表示部３２が設けられ、この静止画表示部３２には、上述の一覧表示部２２で選択したＭＰＥＧ−４ファイルのユーザー領域に保存されている静止画３３が一覧表示される。又、画面３１には、静止画３３を拡大表示するための拡大表示ボタン３４と、上述の一覧表示部２２で表示される静止画２３に対応する代表画像を指定するための代表画像指定ボタン３５と、ユーザー領域に保存されている静止画３３を削除するための静止画削除ボタン３６と、図２に示した一覧表示に移行するための一覧表示ボタン３７が設けられている。又、マウスカーソル３８はマウスの動きに連動して上下左右に移動する位置表示である。
【００３０】
静止画表示部３２に表示されている複数の静止画３３を参照して希望するＭＰＥＧ−４の動画データであるか否かを確認できた場合は、一覧表示ボタン３７を押して図２の一覧表示に移行する。又、静止画表示部３２に表示されている静止画３３を拡大表示したい場合は、拡大表示したい静止画３３をマウスの操作により選択し、拡大表示ボタン３４を押す。拡大表示ボタン３４が押されると図４に示したような拡大表示ウィンド３９に選択した静止画３３が拡大表示される。
【００３１】
図３の静止画表示部３２に表示されている静止画３３において、図２の一覧表示部２２に表示される静止画３３の下には代表画像と表示されている。ここで代表画像を変更したい場合には、希望の静止画３３をマウスの操作により選択し、代表画像指定ボタン３５を押す。代表画像指定ボタン３５が押されると、図５に示したように希望の静止画３３ａの下に代表画像と表示されている。この状態で、一覧表示ボタン３７を押して図２の一覧表示に移行すると、上記操作で指定された代表画像が図２の一覧表示部２２に表示される。この代表画像を変更する操作で、より動画データの内容を把握し易い静止画が図２の一覧表示部２２に表示されるようにすれば、一覧表示部２２に表示される静止画２３を参照しただけで希望するＭＰＥＧ−４の動画データを選択できる場合が多くなる。
【００３２】
【発明の効果】
以上に説明したように、本発明に係るマルチメディアデータの処理装置及び保存方式においては、ＭＰＥＧ−４で設定されているユーザー領域に動画データから取込んだ静止画を保存することにより、
この静止画を参照してＭＰＥＧ−４で符号化・圧縮された動画データの内容を容易に把握することができる。
【図面の簡単な説明】
【図１】本発明に係るマルチメディアデータの処理装置の画面表示の例を示す図である。
【図２】本発明に係るマルチメディアデータの処理装置の画面表示の例を示す図である。
【図３】本発明に係るマルチメディアデータの処理装置の画面表示の例を示す図である。
【図４】本発明に係るマルチメディアデータの処理装置の画面表示の例を示す図である。
【図５】本発明に係るマルチメディアデータの処理装置の画面表示の例を示す図である。
【符号の説明】
１１、２１、３１  画面
１２  動画表示部
１３  再生ボタン
１４  停止ボタン
１５  登録ボタン
１６、３７  一覧表示ボタン
１７、２７、３８  マウスカーソル
２２  一覧表示部
２３、３３  静止画
２４  ファイル名
２５  再生表示ボタン
２６  静止画表示ボタン
３２  静止画表示部
３４  拡大表示ボタン
３５  代表画像指定ボタン
３６  静止画削除ボタン
【図１】
2004363656.tif 000003
【図２】
2004363656.tif 000004
【図３】
2004363656.tif 000005
【図４】
2004363656.tif 000006
【図５】
2004363656.tif 000007